(57)【特許請求の範囲】
【請求項１】
画像形成装置と、
オプション装置と、
前記画像形成装置と前記オプション装置とを接続する電源線及び通信線と、
を備え、
前記画像形成装置は、
当該画像形成装置を制御する装置制御部と、
画像形成部と、
前記装置制御部に供給する制御用電圧と、前記画像形成部に供給する装置駆動用電圧とを生成する装置電源と、を有し、
前記オプション装置は、
前記画像形成部と連携して駆動される駆動負荷と、
前記駆動負荷に供給するオプション駆動用電圧を生成するオプション電源と、
前記オプション電源を制御するオプション制御部であって、前記電源線を介して前記装置電源から前記制御用電圧を供給されるオプション制御部と、を有し、
前記装置制御部は、
前記オプション電源の動作状態を変更する命令を、前記通信線を介して前記オプション制御部に向けて送信する変更命令送信処理を実行し、
前記変更命令送信処理を実行した後、前記オプション制御部から前記通信線を介して前記オプション電源の動作状態を示す情報を受信したことに応じて、前記装置電源の動作状態を変更する装置電源変更処理を実行することを特徴とする画像形成システム。
【請求項２】
画像形成装置と、
オプション装置と、
前記画像形成装置と前記オプション装置とを接続する電源線及び通信線と、
外部電源と接続するための電源コードと、
を備え、
前記画像形成装置は、
当該画像形成装置を制御する装置制御部と、
画像形成部と、
前記装置制御部に供給する制御用電圧と、前記画像形成部に供給する装置駆動用電圧とを生成する装置電源と、を有し、
前記オプション装置は、
前記画像形成部と連携して駆動される駆動負荷と、
前記駆動負荷に供給するオプション駆動用電圧を生成するオプション電源と、
前記オプション電源を制御するオプション制御部であって、前記電源線を介して前記装置電源から前記制御用電圧を供給されるオプション制御部と、を有し、
前記装置制御部は、
前記オプション電源の動作状態を変更する命令を、前記通信線を介して前記オプション制御部に向けて送信する変更命令送信処理を実行し、
前記電源コードが前記外部電源に接続されることにともなって、当該装置制御部の初期設定を実行した後に、前記変更命令送信処理を実行することを特徴とする画像形成システム。
【請求項３】
前記装置制御部は、前記変更命令送信処理として、前記オプション電源の動作を停止させる前記命令を、前記オプション制御部に向けて送信することを特徴とする請求項１又は請求項２に記載の画像形成システム。
【請求項４】
当該画像形成システムの電源を停止するための電源スイッチを備え、
前記装置制御部は、前記電源スイッチにより電源が停止されるのに合わせて、前記変更命令送信処理を実行することを特徴とする請求項１に記載の画像形成システム。
【請求項５】
画像形成装置と、
オプション装置と、
前記画像形成装置と前記オプション装置とを接続する電源線と、
を備え、
前記画像形成装置は、
当該画像形成装置を制御する装置制御部と、
画像形成部と、
前記装置制御部に供給する制御用電圧と、前記画像形成部に供給する装置駆動用電圧とを生成する装置電源と、を有し、
前記オプション装置は、
前記画像形成部と連携して駆動される駆動負荷と、
前記駆動負荷に供給するオプション駆動用電圧を生成するオプション電源と、
前記オプション電源を制御するオプション制御部であって、前記電源線を介して前記装置電源から前記制御用電圧を供給されるオプション制御部と、
前記オプション制御部と、前記オプション電源とを接続する信号線と、
グランド電圧を供給するグランドに前記信号線を接続するプルダウン抵抗と、を有し、
前記オプション電源は、
前記オプション制御部から前記信号線を介して前記グランド電圧の電圧値の第１信号を受信したことに応じて、第１電圧値の前記オプション駆動用電圧を前記駆動負荷に供給する第１電圧供給処理と、
前記オプション制御部から前記信号線を介して前記グランド電圧に比べて電圧値が高い第２信号を受信したことに応じて、前記第１電圧値に比べて高い第２電圧値の前記オプション駆動用電圧を前記駆動負荷に供給する第２電圧供給処理と、を実行することを特徴とする画像形成システム。
【請求項６】
前記装置制御部は、通常モードと、前記通常モードに比べて消費電力が少ない第１スリープモードと、前記第１スリープモードに比べて消費電力が少ない第２スリープモードとを有し、
前記第１スリープモードにおいて、前記画像形成装置の動作状態の変化を検出する動作状態検出処理と、
前記第１スリープモードにおいて、前記画像形成装置の動作状態の変化を検出できない状態が所定時間だけ継続したことに応じて、前記オプション制御部に対して前記オプション電源に向けて前記第１信号を送信させ、且つ当該装置制御部を前記第２スリープモードへ移行させる第２スリープモード移行処理と、を実行することを特徴とする請求項５に記載の画像形成システム。
【発明の詳細な説明】
【技術分野】
【０００１】
本発明は、画像形成装置と、オプション装置とを備える画像形成システムにおいて、オプション装置の電源を制御する技術に関する。
【背景技術】
【０００２】
従来、画像形成装置と、そのオプション装置とを接続した画像形成システムがある（例えば、特許文献１など）。特許文献１に開示される画像形成システムが備える画像形成装置には、オプション装置として、当該画像形成装置にシートを供給する複数の給紙装置と、画像形成装置によって画像が形成されたシートに対する製本処理、ステープルを用いて綴じる処理等の後処理を行う複数の後処理装置とが接続されている。給紙装置及び後処理装置の各々は、商用電源と接続される電源部を備える。給紙装置及び後処理装置の制御回路には、電源部から電力が供給される。また、給紙装置等が備える駆動回路は、電源部から供給される電力よってモータやソレノイド等を駆動する。
【０００３】
また、画像形成装置は、電源のオン・オフを指示する制御信号を、通信インターフェースを介して給紙装置等に送信する。給紙装置等の制御回路は、受信した制御信号の内容を判定し、制御内容に応じて電源部から駆動回路への電力供給の開始、又は停止を行う。
【先行技術文献】
【特許文献】
【０００４】
【特許文献１】特開２００６−０３５７５１号公報
【発明の概要】
【発明が解決しようとする課題】
【０００５】
上記した画像形成システムでは、給紙装置等の制御回路は、画像形成装置からの制御信号を受信して画像形成装置の動作と連動しながら駆動回路の起動、又は停止を実行する。このため、制御回路は、画像形成装置からいつ送信されてくるか分からない制御信号を受信するために、通信インターフェースを介して入力される制御信号を常時監視しなければならなくなる。即ち、制御回路を常時動作状態とするために、電源部からの電力を制御回路に供給し続ける必要が生じ、消費電力の増加を招く虞があった。
【０００６】
本願に開示される技術は、上記の課題に鑑み提案されたものである。画像形成装置と、オプション装置とを備える画像形成システムにおいて、省電力化が可能な画像形成システムを提供することを目的とする。
【課題を解決するための手段】
【０００７】
上記課題を解決するために、本発明の画像形成システムは、画像形成装置と、オプション装置と、画像形成装置とオプション装置とを接続する電源線及び通信線と、を備え、画像形成装置は、当該画像形成装置を制御する装置制御部と、画像形成部と、装置制御部に供給する制御用電圧と、画像形成部に供給する装置駆動用電圧とを生成する装置電源と、を有し、オプション装置は、画像形成部と連携して駆動される駆動負荷と、駆動負荷に供給するオプション駆動用電圧を生成するオプション電源と、オプション電源を制御するオプション制御部であって、電源線を介して装置電源から制御用電圧を供給されるオプション制御部と、を有し、装置制御部は、オプション電源の動作状態を変更する命令を、通信線を介してオプション制御部に向けて送信する変更命令送信処理を実行することを特徴とする。
【０００８】
当該画像形成システムでは、画像形成装置の装置電源は、電源線を介してオプション制御部に制御用電圧を供給する。即ち、オプション装置側のオプション制御部は、画像形成装置からの電力供給を受けて動作する。これにより、オプション制御部を、装置制御部が起動している時のみ動作させることが可能となる。従来のオプション制御部は、装置制御部からの制御信号を受信するために、常時動作状態とされる必要があり、消費電力の増加を招いていた。これに対し、当該画像形成装置のオプション制御部は、装置制御部の起動、及び停止に連動して動作することが可能となり、省電力化を図ることが可能となっている。
【０００９】
また、装置制御部は、オプション電源の動作状態を変更する命令を、通信線を介してオプション制御部に向けて送信する。ここでいう動作状態の変更とは、電源装置の起動、停止、機能の一部停止、あるいは出力電圧の増減等の様々な動作状態の変更を含む。これにより、当該画像形成システムでは、例えば、画像形成装置側の装置電源を停止する前に、オプション電源を停止することが可能となる。また、例えば、一定の条件が成立すると装置電源を停止する省電力化のモードを備える画像形成装置の場合には、そのモード変更による動作状態の変化に合わせて、オプション装置のオプション電源を停止することが可能となる。このため、画像形成装置側が省電力化のモードに移行するのに合わせて、オプション装置を停止し消費電力を低減することで、システム全体の消費電力の削減を効果的、且つ確実に図ることが可能となる。
【００１０】
また、本発明の画像形成システムにおいて、装置制御部は、変更命令送信処理を実行した後、オプション制御部から通信線を介してオプション電源の動作状態を示す情報を受信したことに応じて、装置電源の動作状態を変更する装置電源変更処理を実行する構成としてもよい。
【００１１】
当該画像形成システムでは、装置制御部は、オプション電源の動作状態が所望の状態となったことを検出してから、装置電源に対する制御を実施することが可能となる。これにより、当該画像形成システムでは、例えば、画像形成装置側の装置電源を停止する前に、オプション電源を確実に停止することができる。
【００１２】
また、本発明の画像形成システムにおいて、装置制御部は、変更命令送信処理として、オプション電源の動作を停止させる命令を、オプション制御部に向けて送信する構成としてもよい。
【００１３】
当該画像形成システムでは、装置制御部は、画像形成装置の動作状態等に基づいて、適切なタイミングでオプション電源を停止することが可能となる。
【００１４】
また、本発明の画像形成システムにおいて、外部電源と接続するための電源コードを備え、装置制御部は、電源コードが外部電源に接続されることにともなって、当該装置制御部の初期設定を実行した後に、変更命令送信処理を実行する構成としてもよい。
【００１５】
この種の画像形成システムでは、例えば、電源コードを商用電源（外部電源）に接続して装置制御部が起動された直後に、必要な初期設定を実行するものがある。このような構成の画像形成システムにおいて、初期設定を実行した後、オプション制御部に対する何らの制御を実行せずに装置電源を停止すると、オプション制御部は、画像形成装置の起動に合わせて起動され、オプション電源を起動した後、当該オプション電源を停止することなく、装置電源の停止に合わせて停止することとなる。その結果、オプション電源は、通常時の電圧値のオプション駆動用電圧を駆動負荷に供給し続けることとなる。つまり、電源コードを挿しただけで、オプション電源が起動され不要な電力を消費する虞がある。これに対し、当該画像形成装置の装置制御部は、初期設定を実行した後、装置電源を停止する前に、オプション電源の停止（動作状態の一例）を確認してから装置電源を停止することが可能となる。これにより、電源コードを接続する時に、装置制御部や装置電源が停止しているにも係わらず、オプション電源が起動し続けるのを防止して、省電力化を図ることが可能となる。
【００１６】
また、本発明の画像形成システムにおいて、当該画像形成システムの電源を停止するための電源スイッチを備え、装置制御部は、電源スイッチにより電源が停止されるのに合わせて、変更命令送信処理を実行する構成としてもよい。
【００１７】
装置制御部は、電源スイッチがオフされ、画像形成システムが電源オフとなるタイミングに合わせて、オプション電源の動作状態を変更する処理を開始する。これにより、例えば、オプション電源を停止した上で装置電源を停止することで、電源スイッチのオフ操作に合わせて、画像形成装置及びオプション装置の省電力化を確実に図ることが可能となる。
【００１８】
また、上記課題を解決するために、本発明の画像形成システムは、画像形成装置と、オプション装置と、画像形成装置とオプション装置とを接続する電源線と、を備え、画像形成装置は、当該画像形成装置を制御する装置制御部と、画像形成部と、装置制御部に供給する制御用電圧と、画像形成部に供給する装置駆動用電圧とを生成する装置電源と、を有し、オプション装置は、画像形成部と連携して駆動される駆動負荷と、駆動負荷に供給するオプション駆動用電圧を生成するオプション電源と、オプション電源を制御するオプション制御部であって、電源線を介して装置電源から制御用電圧を供給されるオプション制御部と、オプション制御部と、オプション電源とを接続する信号線と、グランド電圧を供給するグランドに信号線を接続するプルダウン抵抗と、を有し、オプション電源は、オプション制御部から信号線を介してグランド電圧の電圧値の第１信号を受信したことに応じて、第１電圧値のオプション駆動用電圧を駆動負荷に供給する第１電圧供給処理と、オプション制御部から信号線を介してグランド電圧に比べて電圧値が高い第２信号を受信したことに応じて、第１電圧値に比べて高い第２電圧値のオプション駆動用電圧を駆動負荷に供給する第２電圧供給処理と、を実行することを特徴とする。
【００１９】
当該画像形成システムでは、オプション装置側のオプション制御部は、画像形成装置からの電力供給を受けて動作する。これにより、オプション制御部は、装置制御部の起動、及び停止に連動して動作することが可能となり、省電力化を図ることが可能となっている。また、オプション電源は、オプション制御部から信号線を介してグランド電圧の第１信号を受信すると、オプション駆動用電圧を第１電圧値とする。また、オプション制御部は、グランド電圧（第１信号）に比べて電圧値が高い第２信号を受信すると、オプション駆動用電圧を第２電圧値（＞第１電圧値）とする。ここで、例えば、第１電圧値を、省電力化モード中のオプション駆動用電圧の電圧値とする。また、第２電圧値を、画像形成部による印刷処理等を行う通常モード中のオプション駆動用電圧の電圧値とする。このような構成において、オプション電源が第２電圧値を出力する状態で、何らかの原因によってオプション制御部が停止してしまった場合、オプション電源は、オプション駆動用電圧を第２電圧値から第１電圧値へ変更することができず、省電力化を図ることができなくなる。ここでいう、オプション制御部が停止する状態とは、例えば、画像形成装置側の電源コードだけが抜かれた場合、画像形成装置とオプション装置とが正しく接続されていない場合、あるいは、電源コードを挿してすぐに装置制御部が初期設定を実行した後に停止した場合などに、装置電源からオプション制御部への制御用電圧の供給が停止される状態である。これに対し、当該オプション装置では、オプション制御部とオプション電源とを接続する信号線を、プルダウン抵抗を介してグランドに接続している。このため、オプション制御部が停止し、第１及び第２信号のいずれも出力されていない状態では、信号線の電圧値を、グランド電圧とすることができる。このため、オプション電源は、信号線を介してグランド電圧、即ち、第１信号が入力されることとなり、第１電圧値のオプション駆動用電圧を駆動負荷に供給する。従って、何らかの原因によってオプション制御部が停止してしまっても、オプション電源から出力されるオプション駆動用電圧の電圧値を下げて省電力化を図ることが可能となる。
【００２０】
また、本発明の画像形成システムにおいて、装置制御部は、通常モードと、通常モードに比べて消費電力が少ない第１スリープモードと、第１スリープモードに比べて消費電力が少ない第２スリープモードとを有し、第１スリープモードにおいて、画像形成装置の動作状態の変化を検出する動作状態検出処理と、第１スリープモードにおいて、画像形成装置の動作状態の変化を検出できない状態が所定時間だけ継続したことに応じて、オプション制御部に対してオプション電源に向けて第１信号を送信させ、且つ当該装置制御部を第２スリープモードへ移行させる第２スリープモード移行処理と、を実行する構成としてもよい。
【００２１】
当該画像形成システムでは、画像形成装置の装置制御部は、通常モードと、省電力化を図る第１スリープモードと、さらに省電力化を図る第２スリープモードとを有する。装置制御部は、画像形成装置の動作状態の変化、例えば、ユーザからの操作パネルに対する操作や、ネットワークを介した印刷ジョブの受信などの状態変化を所定時間だけ検出できないことに応じて第１スリープモード、さらには第２スリープモードへ移行することによって、省電力化を図ることが可能となる。また、状態変化が起こらないということは、ユーザによる利用の可能性が低いため、このようなモード変更を行うことでユーザビリティも維持できる。そして、装置制御部は、第１スリープモードにおいて状態変化を所定時間だけ検出せず第２スリープモードへ移行するのに合わせて、オプション制御部に対してオプション電源に向けて第１信号を送信させる。これにより、オプション電源は、より省電力化を図る、換言すれば、ユーザに利用される可能性がより少ない第２スリープモードへ移行するのに合わせて、オプション駆動用電圧を下げることによって、ユーザビリティを維持しつつ、省電力化を図ることが可能となる。
【発明の効果】
【００２２】
本発明に記載の画像形成システムでは、省電力化を図ることが可能となる。
【図面の簡単な説明】
【００２３】
【図１】一実施形態に係るプリンタシステムの構成を概略的に示すブロック図である。
【図２】プリンタシステムの電源に係る構成を概略的に示すブロック図である。
【図３】電源に係る構成を概略的に示す回路図である。
【図４】電源コード接続時の電源制御シーケンスを示すフローチャートである。
【図５】電源コード接続時の電源制御シーケンスを示すフローチャートである。
【図６】電源コード接続時の各信号の推移を示すタイムチャートである。
【図７】プリンタのモード移行における制御装置の電源制御シーケンスを示すフローチャートである。
【図８】プリンタのモード移行における制御装置の電源制御シーケンスを示すフローチャートである。
【図９】プリンタのモード移行におけるタワートレイ制御部の電源制御シーケンスを示すフローチャートである。
【図１０】プリンタのモード移行におけるタワートレイ制御部の電源制御シーケンスを示すフローチャートである。
【発明を実施するための形態】
【００２４】
以下、本願の一実施形態について図面を参照して説明する。図１は、本願に係る画像形成システムの一実施形態であるプリンタシステム１００の構成を示している。図１に示すように、プリンタシステム１００は、プリンタ１及びタワートレイ７０を備えている。プリンタ１は、画像形成装置の一例である。また、タワートレイ７０は、オプション装置の一例である。なお、画像形成装置は、プリンタに限らず、例えば、コピー機、スキャナー、あるいは複合機であってもよい。
【００２５】
プリンタ１とタワートレイ７０とは、電源線ＳＬ１及び複数の通信線ＣＬ１，ＣＬ２の各々を介して接続されている。電源線ＳＬ１は、プリンタ１に設けられた電圧出力端子とタワートレイ７０に設けられた電圧入力端子とを接続する。また、複数の通信線ＣＬ１，ＣＬ２の各々は、プリンタ１に設けられた通信用端子とタワートレイ７０に設けられた通信用端子とを接続する。
【００２６】
プリンタ１は、印刷部（「画像形成部」の一例）２、通信部３Ａ、画像メモリ３Ｂ、表示部４、給紙部５、及び電源システム７を備えている。電源システム７は、電源部１０、及び制御装置５０を備えている。電源部１０は、プリンタ１の電源として機能する。また、本実施形態の電源部１０は、タワートレイ７０のタワートレイ制御部７１の電源としても機能する。
【００２７】
印刷部２は、感光ドラム２Ａ、感光ドラム２Ａの表面を帯電させる帯電器２Ｂ、感光ドラム２Ａの表面に静電潜像を形成する露光装置２Ｃ、感光ドラム２Ａの表面に形成された静電潜像に現像剤を付着させて現像剤像を形成する現像器２Ｄ、シート（用紙、ＯＨＰシートなど）に現像剤像を転写する転写器２Ｅ、シート上に転写された現像剤像をヒータの熱によって定着させる定着器２Ｆ、及びシートを搬送する搬送部２Ｇ等を備えている。印刷部２は、感光ドラム２Ａ等を駆動して、シート上に印刷データに基づく画像を印刷する。
【００２８】
通信部３Ａは、ネットワーク等を介して接続された外部の情報端末（ＰＣなど）との間で通信を行うものであり、該情報端末から印刷ジョブを受信する。画像メモリ３Ｂは、情報端末から受信した印刷ジョブに含まれる印刷データなどを一時的に記憶するものである。表示部４は、例えば、静電容量方式のタッチパネルと、液晶表示式の表示パネルを厚さ方向に重ねた構成であり、タッチパネル上に表示された操作キーを押圧操作することで、各種の入力操作を行うことが可能な構成となっている。給紙部５は、給紙トレイ５Ａ及び給紙機構５Ｂを備えている。給紙トレイ５Ａには、印刷に使用するシートが収納されている。給紙機構５Ｂは、ピックアップローラや給紙ローラ等を備え、シートを搬送部２Ｇに供給する。搬送部２Ｇは、モータ、ギア、ソレノイド、搬送ローラ、及びベルト等を備え、給紙部５から給紙されたシートを、印刷部２が備える各部に搬送する。
【００２９】
上記したプリンタ１は、例えば、通信部３Ａにより情報端末から印刷ジョブを受信すると、制御装置５０に印刷ジョブを処理させる。制御装置５０は、印刷部２の各部によって印刷処理を実行させることで、シートに印刷データに基づく画像を印刷する。
【００３０】
電源システム７は、印刷部２、通信部３Ａ、制御装置５０等に駆動用電圧を供給する。例えば、印刷部２の定着器２Ｆ、搬送部２Ｇ、及び給紙部５等の駆動用電圧は、主に２４Ｖである。これに対し、制御装置５０、通信部３Ａ、及び画像メモリ３Ｂの駆動用電圧は、主に３．３Ｖである。
【００３１】
また、プリンタ１は、動作モードとして、レディモード（「通常モード」の一例）、プリントモード（「通常モード」の一例）、スリープモード（「第１スリープモード」の一例）、ディープスリープモード（「第２スリープモード」の一例）、及びオフモードを有する。「レディモード」とは、プリンタ１が印刷ジョブに応答して即座に印刷処理を実行できる状態にあるモードである。そのため、レディモードにおいては、電源システム７は動作している。定着器２Ｆは、詳しくは、定着器２Ｆのヒータは、定着可能な定着温度、あるいは定着温度よりやや低い待機温度に維持されるように制御装置５０によって通電制御されている。「プリントモード」とは、印刷部２が動作し、印刷処理を実行するモードである。定着器２Ｆのヒータは、定着可能な定着温度に維持されるように制御装置５０によって通電制御されている。
【００３２】
また、「スリープモード」とは、印刷処理を完了してから印刷ジョブの実行要求や表示部４のタッチパネルを介したユーザによる入力操作等が所定時間（例えば、５分間）なく、プリンタ１が待機状態にあるモードである。スリープモードは、省電力のモードであり、定着器２Ｆのヒータへの通電を停止し、表示部４の表示パネルのバックライトを消灯させ非表示とするモードである。なお、スリープモードでは、ユーザによる入力操作には迅速に応答すべく、表示部４のタッチパネルの機能については有効となっている。
【００３３】
また、「ディープスリープモード」とは、スリープモードに移行してから印刷ジョブの実行要求やユーザによる入力操作等が所定時間（例えば、５分間）ない場合に、さらなる省電力化を図るモードである。ディープスリープモードでは、詳細には後述するように、例えば、電源システム７は、その一部しか動作しておらず、電源部１０から印刷部２等へ供給する装置駆動用電圧を、２４Ｖから６Ｖに下げることによって省電力化を図る。また、制御装置５０は、処理の主体を図示しないメインＣＰＵから消費電力がメインＣＰＵより少ない図示しないサブＣＰＵに切り替えることによって省電力化を図る。なお、ディープスリープモードにおいても、ユーザによる入力操作には迅速に応答すべく、表示部４のタッチパネルの機能については有効となっている。
【００３４】
また、「オフモード」とは、ディープスリープモードに比べてさらに省電力を図るモードであり、詳細には後述するように、電源システム７は、ディープスリープモードに比べてさらにその一部しか動作していない。オフモードは、例えば、電源ボタンＳＷ１（図２参照）がユーザによって押圧されることによって移行する。
【００３５】
次に、タワートレイ７０の構成について説明する。タワートレイ７０は、図１に示すように、タワートレイ制御部（「オプション制御部」の一例）７１、タワートレイ低圧電源（「オプション電源」の一例）７２、給紙機構（「駆動負荷」の一例）７３、及び複数（本実施形態では４個）の給紙トレイＴ１，Ｔ２，Ｔ３，Ｔ４を備えている。
【００３６】
タワートレイ制御部７１は、例えば、マイクロコンピュータ（ＭＣＵ）によって構成されている。以下、タワートレイ制御部７１を「ＭＣＵ７１」と記載する。ＭＣＵ７１は、プリンタ１の電源部１０から、詳しくは、電源部１０の本体低圧電源２０（図２参照）から電源線ＳＬ１を介して、３．３Ｖの制御用電圧を供給される。
【００３７】
給紙機構７３は、ピックアップローラや給紙ローラの駆動源としてのモータ、ソレノイド、ギア、ファン等を備えている。給紙機構７３は、ＭＣＵ７１の制御に基づいて、印刷部２と連携して駆動され、複数の給紙トレイＴ１〜Ｔ４に収納されたシートを、給紙ローラ等を駆動してプリンタ１に供給する。
【００３８】
タワートレイ低圧電源７２は、ＭＣＵ７１の制御に基づいて、給紙機構７３に供給する２４Ｖのオプション駆動用電圧を生成する。本実施形態のタワートレイ低圧電源７２では、ＭＣＵ７１からの制御に基づいてモードを変更し、オプション駆動用電圧の電圧値を変更する。例えば、タワートレイ低圧電源７２は、プリンタ１がレディモード、プリントモード、スリープモードの各モードにおいて、２４Ｖのオプション駆動用電圧を供給するモード（タワートレイ低圧電源７２側の通常モード）となる。また、タワートレイ低圧電源７２は、プリンタ１がディープスリープモード及びオフモードにおいて、オプション駆動用電圧の生成を停止する第１低出力モードとなる。この状態では、オプション駆動用電圧は、０Ｖとなる。また、タワートレイ低圧電源７２は、この他にも後述する６Ｖのオプション駆動用電圧を供給する第２低出力モードを有する。
【００３９】
詳述すると、図２に示すように、タワートレイ低圧電源７２は、ＭＣＵ７１からの制御信号（タワートレイ低圧電源信号ＴＴＳ−ＯＮ／ＯＦＦ）によって、タワートレイ低圧電源７２のオン・オフ、具体的には、スイッチング電源の発振のオン・オフを制御可能となっている。本実施形態のＭＣＵ７１は、例えば、タワートレイ低圧電源７２を起動するのに合わせて、起動を示すパルス信号（以下、「ＯＮパルス」という）（図示略）を、タワートレイ低圧電源信号ＴＴＳ−ＯＮ／ＯＦＦとしてタワートレイ低圧電源７２へ送信し起動する。また、ＭＣＵ７１は、例えば、プリンタ１のディープスリープモードに合わせて、タワートレイ低圧電源７２をオフするパルス信号（以下、「ＯＦＦパルス」という）ＰＳ（図６参照）をタワートレイ低圧電源７２へ送信し、オプション駆動用電圧の生成を停止させる。本実施形態では、ＯＮパルスのパルス幅は、ＯＦＦパルスＰＳに比べて短くなっている。例えば、ＯＮパルスの立ち上がっている時間は、０２２ｍｓである。また、例えば、ＯＦＦパルスＰＳの立ち上がっている時間は、１．７ｍｓである。
【００４０】
また、タワートレイ低圧電源７２は、ＭＣＵ７１から信号線ＣＬ５を介して入力される制御信号（Ｄｅｅｐ−ＯＮ／ＯＦＦ信号）によって、オプション駆動用電圧の電圧値を変更可能となっている。例えば、ＭＣＵ７１は、ローレベルのＤｅｅｐ−ＯＮ／ＯＦＦ信号をタワートレイ低圧電源７２へ送信し、オプション駆動用電圧を２４Ｖから６Ｖに下げ、第２低出力モードへ移行させることが可能となっている。また、ＭＣＵ７１は、例えば、ハイレベルのＤｅｅｐ−ＯＮ／ＯＦＦ信号をタワートレイ低圧電源７２へ送信し、オプション駆動用電圧を２４Ｖに戻し、通常モードへ移行させることが可能となっている。
【００４１】
ハイレベルのＤｅｅｐ−ＯＮ／ＯＦＦ信号の電位は、例えば、３．３Ｖである。また、ローレベルのＤｅｅｐ−ＯＮ／ＯＦＦ信号の電位は、例えば、０Ｖである。信号線ＣＬ５は、プルダウン抵抗ＲＤを介してグランドに接地されており、グランド電圧Ｖｇｄが供給されている。従って、ＭＣＵ７１からハイレベルのＤｅｅｐ−ＯＮ／ＯＦＦ信号が送信されていない状態では、信号線ＣＬ５の電位は、グランド電位（０Ｖ）となる。タワートレイ低圧電源７２は、信号線ＣＬ５の電位がグランド電位となると、ローレベル（０Ｖ）のＤｅｅｐ−ＯＮ／ＯＦＦ信号を受信する状態となり、オプション駆動用電圧を６Ｖとする。なお、上記したＤｅｅｐ−ＯＮ／ＯＦＦ信号の電位は一例であり、適宜変更してもよい。
【００４２】
また、タワートレイ低圧電源７２から出力されるオプション駆動用電圧は、コンパレータ７７に入力される。コンパレータ７７は、例えば、１２Ｖの基準電圧と、オプション駆動用電圧とを比較して比較結果を検出信号ＳＫとしてＭＣＵ７１に送信する。コンパレータ７７は、例えば、オプション駆動用電圧が基準電圧を上回っている場合には、ハイレベルの検出信号ＳＫをＭＣＵ７１に出力し、オプション駆動用電圧が基準電圧を下回っている場合には、ローレベルの検出信号ＳＫをＭＣＵ７１に出力する。従って、タワートレイ低圧電源７２から２４Ｖのオプション駆動用電圧が出力される場合には、コンパレータ７７は、ハイレベルの検出信号ＳＫをＭＣＵ７１へ送信する。また、オプション駆動用電圧が６Ｖ又は０Ｖの場合には、コンパレータ７７は、ローレベルの検出信号ＳＫをＭＣＵ７１へ送信する。
【００４３】
なお、本実施形態において、タワートレイ低圧電源７２の電源容量は、例えば、複数の給紙トレイＴ１〜Ｔ４の内、少なくとも一個の給紙トレイを駆動する電源容量に設定されている。これは、複数の給紙トレイＴ１〜Ｔ４が同時に動くことは無いため、タワートレイ低圧電源７２の電源容量を、少なくとも一個の給紙トレイを駆動する電源容量に設定することによって、タワートレイ７０（オプション装置）を省電力化できる。例えば、４つの給紙トレイＴ１〜Ｔ４が、この順にタワートレイ７０の上方側から下方向側に向かって順に並ぶとする。４つの給紙トレイＴ１〜Ｔ４のうち、最下段の給紙トレイＴ４からタワートレイ７０の上方のプリンタ１へシートを供給する際に、給紙機構７３のモータを回転させるのに必要な回転トルクが、最大になるとする。つまり、最下段の給紙トレイＴ４からシートを供給する際に、タワートレイ低圧電源７２から給紙機構７３に供給する電力が最大になるとする。この場合には、例えば、タワートレイ低圧電源７２の電源容量を、給紙トレイＴ４を駆動する際に必要な電源容量に設定することが好ましい。また、タワートレイ低圧電源７２の電源容量は、これに限られず、例えば、二個以上の給紙トレイＴ１〜Ｔ４を同時に駆動可能な電源容量でもよい。
【００４４】
次に、図２及び図３を参照して、電源システム７の構成について説明する。電源システム７は、電源ボタン（「電源スイッチ」の一例）ＳＷ１、電源部１０、及び制御装置５０を含む。制御装置５０は、ＡＳＩＣ５１及び電源制御ＩＣ５２を備えている。電源ボタンＳＷ１は、押下に応じてオン信号又はオフ信号を生成して電源制御ＩＣ５２に供給する。
【００４５】
電源部１０は、図２に示すように、本体低圧電源（「装置電源」の一例）２０及び電源制御ＩＣ電源３０を備えている。本体低圧電源２０は、図３に示すように、例えばスイッチング電源で構成され、整流平滑回路２１、制御ＩＣ２２、電圧発生回路２３、トランス２４、ＦＥＴ（電界効果トランジスタ）Ｑ１、整流平滑回路２５、電圧検出回路２６、及びＤＣ−ＤＣコンバータ２７等を備えている。
【００４６】
本体低圧電源２０は、交流電源ＡＣの交流電圧Ｖａｃを整流平滑化し、プリンタ１のレディモード、プリントモード、及びスリープモードにおいて、２４Ｖ及び３．３Ｖの直流電圧を生成する。２４Ｖの直流電圧は第１出力端子ＯＵＴ１から出力される。また、３．３Ｖの直流電圧は、第２出力端子ＯＵＴ２から出力される。また、本体低圧電源２０は、プリンタ１のディープスリープモードにおいて、省電力を図るために、６Ｖの直流電圧及び３．３Ｖを生成する。６Ｖは、第１出力端子ＯＵＴ１から出力される。３．３Ｖは、第２出力端子ＯＵＴ２から出力される。
【００４７】
整流平滑回路２１は、いわゆるコンデンサインプット型であり、交流電源ＡＣの交流電圧Ｖａｃ（例えば、２４０Ｖ）を整流するブリッジダイオードに、整流後の電圧を平滑化するコンデンサを接続して構成されている。整流平滑回路２１の出力は、トランス２４の一次コイルに印加される。
【００４８】
トランジスタＱ１は、ＮチャンネルのＭＯＳＦＥＴであり、制御ＩＣ２２からゲートにオン・オフ信号（ＰＷＭ信号）が供給されることによって、オン・オフ動作する。これにより、トランス２４の一次側が発振し、トランス２４の二次コイルに電圧を誘起させる。
【００４９】
また、トランス２４の一次側には電圧発生回路２３が設けられている。電圧発生回路２３は、トランス２４の一次側に設けられた補助コイルに誘起される電圧を、整流平滑化して、制御ＩＣ２２に電源電圧Ｖｃｃを供給する。なお、制御ＩＣ２２の入力ポートＶＨには、本体低圧電源２０の始動時に、電源電圧が供給される。
【００５０】
整流平滑回路２５は、トランス２４の二次コイルに誘起された電圧を整流平滑化して２４Ｖ（「装置駆動用電圧」の一例）を生成する。ＤＣ−ＤＣコンバータ２７は、整流平滑回路２５から電圧検出回路２６を介して入力される２４Ｖ又は６Ｖを３．３Ｖ（「制御用電圧」の一例）に変換して出力する。
【００５１】
また、電圧検出回路２６は、フォトカプラＰＣ１を含み、本体低圧電源２０の２４Ｖ出力の検出レベルに応じて、フォトカプラＰＣ１の発光ダイオードＬＥＤ１を発光させる。フォトカプラＰＣ１は、制御ＩＣ２２のフィードバックポートＦＢに接続されたフォトトランジスタＰＴ１を含む。このため、発光ダイオードＬＥＤ１の光信号はフォトトランジスタＰＴ１にて電気信号に戻され、２４Ｖ出力の検出値が制御ＩＣ２２のフィードバックポートＦＢにフィードバックされる。
【００５２】
制御ＩＣ２２は、後述する電源制御ＩＣ５２から制御入力ポートＥＮに電源制御信号ＰＳ−ＯＮ／ＯＦＦが入力される。制御ＩＣ２２は、電源制御信号ＰＳ−ＯＮ／ＯＦＦに応じて、出力ポートＯＵＴから出力するトランジスタＱ１へのオン・オフ信号を制御し、トランス２４の一次側の発振を制御する。即ち、制御ＩＣ２２は、電源制御信号ＰＳ−ＯＮ／ＯＦＦに応じて、本体低圧電源２０のオン状態及びオフ状態を切替える（図６参照）。尚、制御ＩＣ２２は、本体低圧電源２０がオン状態であるとき、ＡＳＩＣ５１からの指令に応じて、通常出力（２４Ｖ）とするか低出力（６Ｖ）とするか、装置駆動用電圧の出力状態を切替える。
【００５３】
ここで、本体低圧電源２０のオン状態は、トランス２４の一次側を発振させた出力可能な状態であり、プリンタ１のレディモード、プリントモード、及びスリープモードに対応し、２４Ｖ及び３．３Ｖを出力する。また、装置駆動用電圧を低出力（６Ｖ）とする状態は、トランス２４の一次側を発振させた出力可能な状態であって、制御ＩＣ２２によるトランジスタＱ１のオン・オフの時間を制御する状態であり、ディープスリープモードに対応し、６Ｖ及び３．３Ｖを出力する。また、本体低圧電源２０のオフ状態は、トランス２４の発振を停止させて本体低圧電源２０の出力を停止する出力停止の状態であり、プリンタ１のオフモードに対応する。
【００５４】
なお、タワートレイ低圧電源７２は、例えば、本体低圧電源２０と同様に、スイッチング電源で構成され、本体低圧電源２０と同様な、整流平滑回路、制御ＩＣ、電圧発生回路、トランス、ＦＥＴ、整流平滑回路、及び電圧検出回路等を備え、ＭＣＵ７１によって制御可能となっている。
【００５５】
次に、電源制御ＩＣ電源３０の構成について説明する。電源制御ＩＣ電源３０は、本体低圧電源２０に比べて電源容量の小さい小容量電源であり、本体低圧電源２０の起動状態に係わらず、換言すれば、プリンタ１のモードに係わらず、電源制御ＩＣ５２に電力を供給する。電源制御ＩＣ電源３０は、各モードにおいて、交流電源ＡＣから制御装置５０の電源制御ＩＣ５２及び制御信号伝送部５３に電力を供給する。
【００５６】
電源制御ＩＣ電源３０は、例えば、図３に示すように、第１コンデンサＣ１、第２コンデンサＣ２、整流回路３１、ツェナーダイオードＺＤ１、平滑コンデンサＣ３、ＤＣ−ＤＣコンバータ３２、及び蓄電用コンデンサＣ４を備えている。整流回路３１は、第１コンデンサＣ１と第２コンデンサＣ２との間に接続され、両コンデンサＣ１，Ｃ２に印加される交流電圧Ｖａｃを整流する。整流回路３１は、４個のダイオードＤ１，Ｄ２，Ｄ３，Ｄ４からなるブリッジ回路によって構成されている。ダイオードＤ３及びダイオードＤ４のアノードは、グランドに接地されグランド電圧Ｖｇｄが供給されている。
【００５７】
平滑コンデンサＣ３は、整流回路３１に接続され、整流された交流電圧を平滑して平滑電圧Ｖｃｈ（例えば、５Ｖ）を生成する。ツェナーダイオードＺＤ１は、交流電源ＡＣの交流電圧Ｖａｃが上昇した場合に、平滑電圧Ｖｃｈの上昇を抑制するためのものである。ＤＣ−ＤＣコンバータ３２は、平滑電圧Ｖｃｈを３．３Ｖに変換する。３．３Ｖは、電源制御ＩＣ５２及び制御信号伝送部５３に供給される。
【００５８】
蓄電用コンデンサＣ４は、ＤＣ−ＤＣコンバータ３２の出力側に接続されており、ＤＣ−ＤＣコンバータ３２から出力される３．３Ｖによって充電される。充電電力は、オフモードからレディモードに切り換わる際等に、制御信号伝送部５３のフォトカプラＰＣ２の発光ダイオードＬＥＤ２の駆動電流に使用される。また、平滑コンデンサＣ３及び蓄電用コンデンサＣ４の容量を適宜に選定することによって、オフモードにおいて、必要に応じた電力量を蓄電することができる。
【００５９】
次に、制御装置５０の構成について説明する。制御装置５０は、図３に示すように、ＡＳＩＣ（特定用途向けＩＣ）５１、電源制御ＩＣ５２、制御信号伝送部５３、及びメモリ５４を含む。ＡＳＩＣ５１は、主に、プリンタ１の印刷部２を制御する。ＡＳＩＣ５１は、タイマ５１Ａを備える。タイマ５１Ａは、レディモードからスリープモードに移行する際の時間計測、及びスリープモードからディープスリープモードに移行する際の時間計測に利用される。
【００６０】
ＡＳＩＣ５１は、オフモード以外の各モードにおいて、本体低圧電源２０のＤＣ−ＤＣコンバータ２７から３．３Ｖの電力が供給される。即ち、ＡＳＩＣ５１は、オフモード以外の各モードにおいて、電力が供給された動作状態となり、本体低圧電源２０が出力停止、即ち、オフモードに移行すると、電力の供給が断たれて停止状態になる。
【００６１】
電源制御ＩＣ５２は、電圧検出回路５２Ａ及びＡＳＩＣリセット部５２Ｂを備えている。また、電源制御ＩＣ５２のポートＰ１は、抵抗Ｒ１を介してＤＣ−ＤＣコンバータ２７のＯＵＴ２に接続されている。電源制御ＩＣ５２は、ＯＵＴ２の出力から３．３Ｖを検出し、本体低圧電源２０の出力を監視する。また、電源制御ＩＣ５２の電源ポートＰ２は、電源制御ＩＣ電源３０の出力側に接続されており、プリンタ１のモードに係わらず、電源制御ＩＣ電源３０から電力が供給される。
【００６２】
また、電源制御ＩＣ５２は、プリンタ１のモード切り換えに応じて、本体低圧電源２０を動作させる動作モードと、本体低圧電源２０の発振を停止させる停止モードとに切り換え制御する。詳述すると、制御信号伝送部５３は、フォトカプラＰＣ２の発光ダイオードＬＥＤ２及びトランジスタＱ２を備えている。発光ダイオードＬＥＤ２のアノードは、電源制御ＩＣ電源３０からの３．３Ｖの電源ラインに接続されている。発光ダイオードＬＥＤ２は、本体低圧電源２０の制御ＩＣ２２の制御入力ポートＥＮに接続されたフォトトランジスタＰＴ２とともに、フォトカプラＰＣ２を構成している。トランジスタＱ２は、発光ダイオードＬＥＤ２のカソードと、グランドとの間に接続されている。電源制御ＩＣ５２の制御ポートＰ３からトランジスタＱ２のベースにパルス状の電源制御信号ＰＳ−ＯＮ／ＯＦＦが出力されると、電源制御信号ＰＳ−ＯＮ／ＯＦＦは、フォトカプラＰＣ２を介して光伝送され、制御ＩＣ２２の制御入力ポートＥＮに入力される。従って、電源制御ＩＣ５２は、制御ＩＣ２２に対してパルス状の電源制御信号ＰＳ−ＯＮ／ＯＦＦを出力することにより、本体低圧電源２０のオン・オフ等を切り換えることが可能となっている（図６参照）。なお、電源制御ＩＣ５２及び制御信号伝送部５３には、本体低圧電源２０のオン・オフ状態に係わらず、電源制御ＩＣ電源３０から電力が供給される。
【００６３】
メモリ５４は、ＲＯＭ及びＲＡＭを含む。ＲＯＭには、ＡＳＩＣ５１が実行する各種プログラムが格納され、ＲＡＭにはプログラムが実行される際の各種データが格納される。また、制御信号伝送部５３と電源制御ＩＣ５２との間には、電源ボタンＳＷ１が接続されている。電源ボタンＳＷ１は、押下に応じたオン信号又はオフ信号を電源制御ＩＣ５２に出力する。ユーザは、電源ボタンＳＷ１を操作することによって、本体低圧電源２０のオン・オフ状態の切り換え、即ちオフモードの設定・解除を電源制御ＩＣ５２に指示することができる。
【００６４】
また、プリンタシステム１００、あるいはプリンタ１は、図２に示すように、プリンタ１とタワートレイ７０とを接続する専用電源コード７Ａを備えている。また、タワートレイ７０は、専用電源コード７Ａが接続される接続部７４、及びプラグ付き電源コード７５を備えている。そして、プリンタシステム１００を使用する際、タワートレイ７０のプラグ付き電源コード７５が交流電源ＡＣに接続され、専用電源コード７Ａを接続部７４に接続する。プリンタ１は、専用電源コード７Ａを介して交流電源ＡＣに接続される。これにより、プリンタシステム１００を交流電源ＡＣへ接続する際の、電源コードの引き回しが簡易化される。なお、プリンタシステム１００の交流電源ＡＣへの接続態様はこれに限られない。例えば、電源システム７とタワートレイ７０とは、個別に交流電源ＡＣに接続されるようにしてもよい。
【００６５】
次に、図４〜図６を参照して、専用電源コード７Ａが接続部７４に接続された状態で、電源コード７５を交流電源ＡＣに接続した際の電源制御シーケンスについて説明する。まず、図４のステップ（以下、単位「Ｓ」と表記する）１１において、ユーザによって電源コード７５が交流電源ＡＣに接続されたとする（図６の時刻ｔ１参照）。電源制御ＩＣ電源３０と本体低圧電源２０は、電源コード７５及び専用電源コード７Ａを介して電力が供給され起動する（Ｓ１３）。同様に、タワートレイ低圧電源７２は、電源コード７５を介して電力が供給され起動する（Ｓ１３）。この状態では、ＭＣＵ７１は、未だ起動しておらず、信号線ＣＬ５にグランド電圧Ｖｇｄが供給されるため、タワートレイ低圧電源７２は、６Ｖのオプション駆動用電圧を出力する第２低出力モードとなる（時刻ｔ３参照）。
【００６６】
また、電源制御ＩＣ電源３０は、３．３Ｖを供給して電源制御ＩＣ５２を起動する（Ｓ１５）。なお、上記したように、電源制御ＩＣ５２は、電源制御ＩＣ電源３０からの電力供給によって起動するため、本体低圧電源２０が起動していなくても電源ボタンＳＷ１のオン・オフを検出することができる。
【００６７】
本体低圧電源２０は、起動後に、パワー系の電圧である２４Ｖ（「装置駆動用電圧」の一例）、及びロジック系の電圧である３．３Ｖ（「制御用電圧」の一例）を生成する。本体低圧電源２０は、印刷部２や給紙部５に２４Ｖを供給し、ＡＳＩＣ５１、電源制御ＩＣ５２及びＭＣＵ７１に３．３Ｖを供給する（図６の時刻ｔ３参照）。３．３Ｖの供給によって、各クロック信号生成回路（図示せず）によって、ＡＳＩＣ５１で使用するクロック信号（ＡＳＩＣ−ＣＬＫ信号）及びＭＣＵ７１で使用するクロック信号（ＭＣＵ−ＣＬＫ信号）が生成される。
【００６８】
電源制御ＩＣ５２の電圧検出回路５２Ａ（図３参照）が３．３Ｖを検出した後の時刻ｔ５において、電源制御ＩＣ５２のＡＳＩＣリセット部５２Ｂは、ＡＳＩＣ５１を起動するハイレベルのＡＳＩＣリセット信号ＡＳＩＣ−ＲＳＴをＡＳＩＣ５１に送信する。これによってＡＳＩＣ５１の起動が完了する（Ｓ１９）。
【００６９】
ＡＳＩＣ５１は、起動後、ＭＣＵ７１を起動するハイレベルのＭＣＵリセット信号ＭＣＵ−ＲＳＴを、通信線ＣＬ２を介してＭＣＵ７１に送信して、ＭＣＵ７１を起動する（ステップＳ１９：時刻ｔ６参照）。これによってＭＣＵ７１の起動が完了する。また、ＡＳＩＣ５１は、起動すると初期設定を実行する（Ｓ２１）。ここでいう初期設定とは、例えば、内部処理で使用する時間情報の誤差を補正する処理などである。
【００７０】
次に、ＡＳＩＣ５１は、初期設定を完了させると、システム全体の電源をオフするため、タワートレイ低圧電源７２の動作を停止させる指令信号ＳＩ１（「命令」の一例）を、通信線ＣＬ２を介してＭＣＵ７１に送信する（Ｓ２３：「変更命令送信処理」の一例、時刻ｔ７参照）。
【００７１】
ＭＣＵ７１は、指令信号ＳＩ１を受信すると、ＯＦＦパルスＰＳ（タワートレイ低圧電源信号ＴＴＳ−ＯＮ／ＯＦＦ）をタワートレイ低圧電源７２に送信する（Ｓ２５、時刻ｔ９参照）。タワートレイ低圧電源７２は、ＯＦＦパルスＰＳを受信すると、動作を停止する（時刻ｔ１１参照）。
【００７２】
ＭＣＵ７１は、コンパレータ７７から入力される検出信号ＳＫを用いた後述の方法でタワートレイ低圧電源７２が停止したことを検出すると、通信線ＣＬ１を介してＡＳＩＣ５１に向けてタワートレイ低圧電源７２が停止したことを示す完了コマンドＳＣを送信する（Ｓ２７、時刻ｔ１３参照）。
【００７３】
ＡＳＩＣ５１は、完了コマンドＳＣを受信すると、ＭＣＵ７１を停止（リセット）するローレベルのＭＣＵリセット信号ＭＣＵ−ＲＳＴを、通信線ＣＬ２を介してＭＣＵ７１に送信し、ＭＣＵ７１をリセットする（時刻ｔ１５参照）。これにより、ＭＣＵ７１は動作を停止（リセット）する（Ｓ２９）。また、ＡＳＩＣ５１は、本体低圧電源２０を停止する電源ＯＦＦコマンドＰＳ−ＯＦＦを電源制御ＩＣ５２に送信する（Ｓ３１、時刻ｔ１７参照）。
【００７４】
なお、上記したＭＣＵ７１をリセットするＳ２９の処理は省略してもよい。本体低圧電源２０が停止した後、３．３Ｖ→０Ｖとなって、ＡＳＩＣリセット信号ＡＳＩＣ−ＲＳＴがローレベルになるとき（時刻ｔ１９参照）、ＭＣＵリセット信号ＭＣＵ−ＲＳＴは、図２に示したプルダウン抵抗ＲＤと同様に、外付けのプルダウン抵抗があれば、自動的にローレベルになってリセットされるからである。
【００７５】
電源制御ＩＣ５２は、電源ＯＦＦコマンドＰＳ−ＯＦＦをＡＳＩＣ５１から受信すると、本体低圧電源２０を停止するパルス状の電源制御信号ＰＳ−ＯＮ／ＯＦＦを生成する。そして、電源制御ＩＣ５２は、電源制御信号ＰＳ−ＯＮ／ＯＦＦを、制御信号伝送部５３（図３参照）を介して本体低圧電源２０に送信し、本体低圧電源２０を停止させる（Ｓ３３）。このように、本実施形態では、タワートレイ低圧電源７２の停止を確認してから（Ｓ２７）、本体低圧電源２０を停止している（Ｓ３３）。
【００７６】
また、電源制御ＩＣ５２は、電圧検出回路５２Ａにて検出する電圧値（３．３Ｖ）が規定値（例えば、１．５Ｖ）まで低下した場合、ＡＳＩＣ５１に、ローレベルのＡＳＩＣリセット信号ＡＳＩＣ−ＲＳＴを送信する（Ｓ３５、時刻ｔ１９参照）。これによって、ＡＳＩＣ５１は動作を停止する。この場合、電源電圧（３．３Ｖ）の低下を確認してから、即ち、本体低圧電源２０の動作停止を確認してから、ＡＳＩＣ５１をリセット（オフ）できる。以上によって、電源制御ＩＣ５２に電力を供給する電源制御ＩＣ電源３０を除き、プリンタシステム１００の電源がオフされ、オフモードに移行する（Ｓ３７）。
【００７７】
次に、図７及び図８を参照して、プリンタ１のモード移行における制御装置５０の電源制御シーケンスを説明する。図７に示す処理は、例えば、上記した図４及び図５に示す電源コード７５を交流電源ＡＣに接続した際の電源制御を終了させオフモードに移行した状態（図５のＳ３７）で電源ボタンＳＷ１が押され、電源制御ＩＣ５２からパルス状の電源制御信号ＰＳ−ＯＮ／ＯＦＦ信号を本体低圧電源２０に送信し起動した後に開始される。まず、本体低圧電源２０の起動にともなって、制御装置５０は、起動しレディモードとなる（Ｓ４１）。制御装置５０は、レディモード中の時間を測定するため、タイマ５１Ａによる時間計測を開始する（Ｓ４２）。制御装置５０は、レディモードにおいて、通信部３Ａを介して印刷ジョブを受信したか否かを判定する（Ｓ４３）。この印刷ジョブは、例えば、タワートレイ７０を使用する、即ち、タワートレイ７０の給紙トレイＴ１〜Ｔ４のいずれかに収納されたシートのサイズ等を指定した情報を含む印刷データである。このため、制御装置５０は、プリントモードへ移行し印刷ジョブを実行するため、タワートレイ７０を使用できる状態とする。
【００７８】
Ｓ４３の処理は、後述する図８のスリープモードへ移行した後（Ｓ８１），あるいはディープスリープモードへ移行した後（Ｓ９３）にも共通に実行される処理である。制御装置５０は、印刷ジョブを受信したと判定した場合（Ｓ４３：ＹＥＳ）、現在のモードがディープスリープモードであるか否かを判定する（Ｓ４５）。ディープスリープモードであると判定した場合（Ｓ４５：ＹＥＳ）、制御装置５０は、タワートレイ低圧電源７２のオプション駆動用電圧を上げる（０Ｖ→２４Ｖ）ための指令信号ＳＩ１を、ＡＳＩＣ５１からＭＣＵ７１へ送信させる（Ｓ４７）。ＭＣＵ７１は、タワートレイ低圧電源７２へＯＮパルスを送信し発振（６Ｖ出力）を再開させた後、ハイレベルのＤｅｅｐ−ＯＮ／ＯＦＦ信号を送信し２４Ｖ出力とする。
【００７９】
次に、制御装置５０は、コンパレータ７７から入力される検出信号ＳＫを用いた後述の方法でオプション駆動電圧が上がったことを検出したＭＣＵ７１から、オプション駆動用電圧を上げた旨の完了コマンドＳＣを受信したか否かを判定する（Ｓ４９）。制御装置５０は、完了コマンドＳＣを受信するまで（Ｓ４９：ＮＯ）、状態を維持する。制御装置５０は、完了コマンドＳＣを受信すると（Ｓ４９：ＹＥＳ）、本体低圧電源２０から印刷部２や給紙部５へ供給する装置駆動用電圧を上げる（６Ｖ→２４Ｖ）制御を行う（Ｓ５０）。具体的には、例えば、制御装置５０のＡＳＩＣ５１は、本体低圧電源２０の制御ＩＣ２２（図３参照）へ装置駆動用電圧を上げる指令を送信する。制御ＩＣ２２は、指令に応じてトランジスタＱ１をスイッチング制御し、第１出力端子ＯＵＴ１から２４Ｖを出力させる。そして、ディープスリープモードでは定着器２Ｆのヒータへの通電を停止していたため、制御装置５０は、定着器２Ｆのヒータへの通電を開始する処理を行う（Ｓ５１）。また、制御装置５０は、表示部４の表示パネルのバックライトを点灯させ表示状態とする（Ｓ５３）。制御装置５０は、印刷が可能なプリントモードとなる（Ｓ５５）。
【００８０】
一方、Ｓ４５においてディープスリープモードでないと判定した場合（Ｓ４５：ＮＯ）、制御装置５０は、現在のモードがスリープモードであるか否かを判定する（Ｓ５７）。スリープモードであると判定した場合（Ｓ５７：ＹＥＳ）、制御装置５０は、Ｓ５１以降の処理を実行する。スリープモードでは定着器２Ｆのヒータへの通電を停止していたため、Ｓ５１では、制御装置５０は、定着器２Ｆのヒータへの通電を開始する処理を行う。また、スリープモードでないと判定した場合（Ｓ５７：ＮＯ）、即ち、レディモードである場合、制御装置５０は、Ｓ５５以降の処理を実行する。
【００８１】
プリントモードへ移行すると、制御装置５０は、受信した印刷ジョブを印刷部２によって実行する（Ｓ５９）。具体的には、制御装置５０は、定着器２Ｆのヒータの温度を待機温度から印刷可能な印刷温度に上げ、タワートレイ７０からシートを供給させる等の制御を実行する。制御装置５０は、最終ページを排紙し印刷ジョブを完了させると（Ｓ６１）、ヒータの温度を待機温度に戻す制御等を実行する。また、制御装置５０は、タイマ５１Ａをリセットし（Ｓ６３）、レディモードへ移行する（Ｓ４１）。
【００８２】
一方、Ｓ４３において、制御装置５０は、印刷ジョブを受信していないと判定すると（Ｓ４３：ＮＯ）、現在のモードがディープスリープモードであるか否かを判定する（図８のＳ７０）。制御装置５０は、現在のモードがディープスリープモードである場合（Ｓ７０：ＹＥＳ）、Ｓ４３からの処理を実行し、ディープスリープモードを維持する。
【００８３】
また、制御装置５０は、現在のモードがディープスリープモードでない場合（Ｓ７０：ＮＯ）、現在のモードがスリープモードであるか否かを判定する（Ｓ７１）。制御装置５０は、現在のモードがスリープモードでない、即ち、レディモードである場合（Ｓ７１：ＮＯ）、レディモード中の経過時間をタイマ５１Ａの計測時間で判定する（Ｓ７３）。
【００８４】
制御装置５０は、タイマ５１Ａの計測時間が５分を経過していない場合（Ｓ７３：ＮＯ）、図７のＳ４３以降の処理を実行し、レディモードを維持する。一方、制御装置５０は、タイマ５１Ａの計測時間が５分を経過していた場合、即ち、レディモード中に印刷ジョブを受信しておらず表示部４のタッチパネルを介したユーザによる入力操作のない時間が５分を経過した場合（Ｓ７３：ＹＥＳ）、スリープモードへ移行する処理を開始する。
【００８５】
制御装置５０は、タイマ５１Ａをリセットする（Ｓ７５）。また、制御装置５０は、定着器２Ｆのヒータへの通電をオフするとともに（Ｓ７７）、表示部４を非表示にして省電力化を図る（Ｓ７９）。制御装置５０は、スリープモードへ移行し（Ｓ８１）、タイマ５１Ａによってスリープモード中の時間計測を開始する（Ｓ８３）。
【００８６】
また、Ｓ７１において、現在のモードがスリープモードであると判定した場合（Ｓ７１：ＹＥＳ）、制御装置５０は、スリープモード中の経過時間をタイマ５１Ａの計測時間で判定する（Ｓ８５）。制御装置５０は、タイマ５１Ａの計測時間が５分を経過していない場合（Ｓ８５：ＮＯ）、図７のＳ４３以降の処理を実行し、スリープモードを維持する。
【００８７】
また、制御装置５０は、スリープモード中に５分経過したと判定した場合（Ｓ８５：ＹＥＳ）、ディープスリープモードへ移行する処理を開始する。制御装置５０は、タイマ５１Ａをリセットする（Ｓ８６）。また、制御装置５０は、タワートレイ低圧電源７２を停止する（２４Ｖ→０Ｖ）ための指令信号ＳＩ１を、ＡＳＩＣ５１からＭＣＵ７１へ送信させる（Ｓ８７）。
【００８８】
制御装置５０は、ＭＣＵ７１からタワートレイ低圧電源７２を停止した旨の完了コマンドＳＣを受信したか否かを判定する（Ｓ８９）。制御装置５０は、完了コマンドＳＣを受信するまで（Ｓ８９：ＮＯ）、状態を維持する。また、制御装置５０は、完了コマンドＳＣを受信すると（Ｓ８９：ＹＥＳ）、本体低圧電源２０から印刷部２へ供給する装置駆動用電圧を下げる（２４Ｖ→６Ｖ）制御を行う（Ｓ９１）。制御装置５０は、ディープスリープモードへ移行し（Ｓ９３）、図７のＳ４３以降の処理を開始する。
【００８９】
次に、図９を参照して、プリンタ１のモード移行におけるＭＣＵ７１の電源制御シーケンスを説明する。例えば、ＭＣＵ７１は、ＡＳＩＣ５１からハイレベルのＭＣＵリセット信号ＭＣＵ−ＲＳＴを受信、即ちリセット解除状態となって起動すると、図９に示す処理を開始する。ＭＣＵ７１は、タワートレイ低圧電源７２を起動する（Ｓ１０３）。
【００９０】
ＭＣＵ７１は、起動後、ハイレベルのＭＣＵリセット信号ＭＣＵ−ＲＳＴをＡＳＩＣ５１から受信し、リセット解除状態となっているか否かを判定する（Ｓ１０５）。ＭＣＵ７１は、ローレベルのＭＣＵリセット信号ＭＣＵ−ＲＳＴを受信している場合（Ｓ１０５：ＮＯ）、停止処理を行う。
【００９１】
また、ＭＣＵ７１は、ハイレベルのＭＣＵリセット信号ＭＣＵ−ＲＳＴを受信し、リセット解除状態となっている場合（Ｓ１０５：ＹＥＳ）、コンパレータ７７（図２参照）の検出信号ＳＫがハイレベルであるか否かを判定する（Ｓ１０７）。ＭＣＵ７１は、ローレベルの検出信号ＳＫを受信している場合（Ｓ１０７：ＮＯ）、図１０のＳ１１７以降の処理を実行する。
【００９２】
また、ＭＣＵ７１は、ハイレベルの検出信号ＳＫを受信している場合（Ｓ１０７：ＹＥＳ）、タワートレイ低圧電源７２を停止する（２４Ｖ→０Ｖ）ための指令信号ＳＩ１を、ＡＳＩＣ５１から受信しているか否かを判定する（Ｓ１０９）。ＭＣＵ７１は、タワートレイ低圧電源７２を停止するための指令信号ＳＩ１を受信していない場合（Ｓ１０９：ＮＯ）、Ｓ１０５からの処理を実行する。
【００９３】
一方、ＭＣＵ７１は、タワートレイ低圧電源７２を停止するための指令信号ＳＩ１を受信すると（Ｓ１０９：ＹＥＳ）、Ｄｅｅｐ−ＯＮ／ＯＦＦ信号を下げる（３．３Ｖ→０Ｖ）処理を行うとともに、タワートレイ低圧電源７２をオフするＯＦＦパルスＰＳをタワートレイ低圧電源７２へ送信する（Ｓ１１１、「第２スリープモード移行処理」の一例）。タワートレイ低圧電源７２は、信号線ＣＬ５を介して０ＶのＤｅｅｐ−ＯＮ／ＯＦＦ信号を受信すると、オプション駆動用電圧を下げる（２４Ｖ→６Ｖ）処理を行い（「第１電圧供給処理」の一例）、ＯＦＦパルスＰＳを受信すると停止する処理を行い、第１低出力モードとなる。また、ＭＣＵ７１は、コンパレータ７７から入力される検出信号ＳＫの信号レベルを判定する（Ｓ１１３）。ＭＣＵ７１は、コンパレータ７７からローレベルの検出信号ＳＫが入力されるまで（Ｓ１１３：ＮＯ）、状態を維持する。ＭＣＵ７１は、コンパレータ７７からローレベルの検出信号ＳＫが入力された場合（Ｓ１１３：ＹＥＳ）、タワートレイ低圧電源７２が停止したとみなし、その旨の完了コマンドＳＣをＡＳＩＣ５１へ送信する（Ｓ１１５）。
【００９４】
次に、ＭＣＵ７１は、タワートレイ低圧電源７２のオプション駆動用電圧を上げる（０Ｖ→２４Ｖ）ための指令信号ＳＩ１を受信しているか否かを判定する（図１０のＳ１１７）。ＭＣＵ７１は、タワートレイ低圧電源７２のオプション駆動用電圧を上げるための指令信号ＳＩ１をしていない場合（Ｓ１１７：ＮＯ）、Ｓ１０５からの処理を実行する。
【００９５】
また、ＭＣＵ７１は、タワートレイ低圧電源７２のオプション駆動用電圧を上げるための指令信号ＳＩ１を受信すると（Ｓ１１７：ＹＥＳ）、タワートレイ低圧電源７２をオンするＯＮパルスをタワートレイ低圧電源７２へ送信するとともに、Ｄｅｅｐ−ＯＮ／ＯＦＦ信号を上げる（０Ｖ→３．３Ｖ）処理を行う（Ｓ１１９）。タワートレイ低圧電源７２は、ＯＮパルスを受信すると起動する（０Ｖ→６Ｖ）処理を行い、信号線ＣＬ５を介して３．３ＶのＤｅｅｐ−ＯＮ／ＯＦＦ信号を受信すると、オプション駆動用電圧を上げる（６Ｖ→２４Ｖ）処理を行い（「第２電圧供給処理」の一例）、通常モードとなる。また、ＭＣＵ７１は、コンパレータ７７から入力される検出信号ＳＫの信号レベルを判定する（Ｓ１２１）。ＭＣＵ７１は、コンパレータ７７からハイレベルの検出信号ＳＫが入力されるまで（Ｓ１２１：ＮＯ）、状態を維持する。ＭＣＵ７１は、コンパレータ７７からハイレベルの検出信号ＳＫが入力された場合（Ｓ１２１：ＹＥＳ）、タワートレイ低圧電源７２のオプション駆動用電圧が２４Ｖまで上がったとみなし、その旨の完了コマンドＳＣをＡＳＩＣ５１へ送信し（Ｓ１２３）、Ｓ１０５からの処理を実行する。このようにして、制御装置５０は、指令信号ＳＩ１に応答した完了コマンドＳＣを判定することで、タワートレイ７０の状態を確認することが可能となっている。
【００９６】
因みに、プリンタシステム１００は、画像形成システムの一例である。プリンタ１は、画像形成装置の一例である。印刷部２は、画像形成部の一例である。本体低圧電源２０は、装置電源の一例である。制御装置５０は、装置制御部の一例である。タワートレイ７０は、オプション装置の一例である。タワートレイ制御部（ＭＣＵ）７１は、オプション制御部の一例である。タワートレイ低圧電源７２は、オプション電源の一例である。給紙機構７３は、駆動負荷の一例である。交流電源ＡＣは、外部電源の一例である。電源ボタンＳＷ１は、電源スイッチの一例である。Ｓ２３の処理は、変更命令送信処理の一例である。スリープモードは、第１スリープモードの一例である。ディープスリープモードは、第２スリープモードの一例である。
【００９７】
以上、上記した実施形態によれば、以下の効果を奏する。
＜効果１＞プリンタ１の本体低圧電源２０は、電源線ＳＬ１を介してタワートレイ７０のＭＣＵ７１に３．３Ｖの制御用電圧を供給する。これにより、ＭＣＵ７１を、プリンタ１が備える制御装置５０のＡＳＩＣ５１が起動している時（プリントモード、レディーモード等）のみ動作させることが可能となり、省電力化を図ることが可能となっている。
【００９８】
また、ＡＳＩＣ５１は、通信線ＣＬ２を介して、指令信号ＳＩ１をＭＣＵ７１に送信（「変更命令送信処理」の一例）することで、タワートレイ低圧電源７２の動作状態を変更可能となっている。例えば、ＡＳＩＣ５１は、図４及び図５に示す起動時の処理において、初期設定が終了すると、タワートレイ低圧電源７２を停止する指令信号ＳＩ１をＭＣＵ７１に送信して、タワートレイ低圧電源７２を停止している（図４のＳ２３参照）。これにより、ＡＳＩＣ５１は、電源部１０の本体低圧電源２０を停止する前に、タワートレイ低圧電源７２を停止することが可能となっている。
【００９９】
＜効果２＞ＭＣＵ７１は、ＡＳＩＣ５１からタワートレイ低圧電源７２を停止する指令信号ＳＩ１を受信した後、タワートレイ低圧電源７２を停止すると、その旨の完了コマンドＳＣを、通信線ＣＬ１を介してＡＳＩＣ５１に送信している（Ｓ２７）。ＡＳＩＣ５１は、完了コマンドＳＣを受信すると、本体低圧電源２０を停止する処理（「装置電源変更処理」の一例）を実行する（図５のＳ３１，Ｓ３３）。これにより、本体低圧電源２０を停止する前に、タワートレイ低圧電源７２を確実に停止することができる。
【０１００】
＜効果３＞本実施形態のプリンタシステム１００では、電源コード７５を交流電源ＡＣに接続するタイミングに合わせて図４及び図５に示す電源制御を実行している。その際に、ＡＳＩＣ５１は、必要な初期設定を実行した後（Ｓ２１）、本体低圧電源２０を停止（Ｓ３３）する前に、タワートレイ低圧電源７２の停止を確認しているため（Ｓ２７）、電源コード７５を接続する時に、ＡＳＩＣ５１が停止しているにも係わらず、タワートレイ低圧電源７２が起動し続けるのを防止して、省電力化を図ることが可能となる。
【０１０１】
＜効果４＞プリンタシステム１００は、ＭＣＵ７１と、タワートレイ低圧電源７２とを信号線ＣＬ５で接続している。タワートレイ低圧電源７２は、ＭＣＵ７１から信号線ＣＬ５を介してグランド電圧Ｖｇｄ（ローレベル）のＤｅｅｐ−ＯＮ／ＯＦＦ信号（「第１信号」の一例）を受信すると、６Ｖ（「第１電圧値」の一例）のオプション駆動用電圧を給紙機構７３に供給する（「第１電圧供給処理」の一例）。また、タワートレイ低圧電源７２は、ＭＣＵ７１からハイレベルのＤｅｅｐ−ＯＮ／ＯＦＦ信号（「第２信号」の一例）を受信すると、２４Ｖ（「第２電圧値」の一例）のオプション駆動用電圧を給紙機構７３に供給する（「第２電圧供給処理」の一例）。また、信号線ＣＬ５は、プルダウン抵抗ＲＤを介してグランドに接地されており、グランド電圧Ｖｇｄが供給されている。従って、ＭＣＵ７１からハイレベルのＤｅｅｐ−ＯＮ／ＯＦＦ信号を送信しない状態では、信号線ＣＬ５の電位は、グランド電位（０Ｖ）となる。タワートレイ低圧電源７２は、信号線ＣＬ５の電位がグランド電位となると、ローレベルのＤｅｅｐ−ＯＮ／ＯＦＦ信号を受信する状態となり、オプション駆動用電圧を６Ｖとする。これにより、例えば、タワートレイ低圧電源７２が２４Ｖを出力する通常モードで、専用電源コード７Ａが接続部７４から抜かれ、プリンタ１だけが停止し、そのプリンタ１の電源部１０から電力供給を受けるＭＣＵ７１も停止してしまった場合に、信号線ＣＬ５の電位をグランド電位とすることで、タワートレイ低圧電源７２から出力されるオプション駆動用電圧を下げることができ、省電力化を図ることが可能となる。
【０１０２】
＜効果５＞制御装置５０は、レディモード（「通常モード」の一例）、プリントモード（「通常モード」の一例）、スリープモード（「第１スリープモード」の一例）、ディープスリープモード（「第２スリープモード」の一例）、及びオフモードを有する。制御装置５０は、スリープモードにおいて、プリンタ１の動作状態の変化として、印刷ジョブの受信を検出する（図７のＳ４３：「動作状態検出処理」の一例）。また、制御装置５０は、スリープモードにおいて、印刷ジョブを受信せず所定時間だけ継続すると、ＭＣＵ７１に対してタワートレイ低圧電源７２を停止する処理（図８のＳ８７、図９のＳ１０９，Ｓ１１１：「第２スリープモード移行処理」の一例）実行させ、ディープスリープモードへ移行する（Ｓ９３）。これにより、タワートレイ低圧電源７２は、より省電力化を図る、換言すれば、ユーザに利用される可能性がより少ないディープスリープモードへ移行するのに合わせて、オプション駆動用電圧を停止することによって、ユーザビリティを維持しつつ、省電力化を図ることが可能となる。
【０１０３】
なお、本発明は、上記実施形態に限定されるものではなく、当業者の知識に基づいて種々の変更、改良を施した種々の態様で実施することが可能である。
例えば、上記実施形態では、ＡＳＩＣ５１は、ＭＣＵ７１から完了コマンドＳＣを受信することを条件として、本体低圧電源２０を停止する処理を実行したが（図５のＳ３１，Ｓ３３）、これに限定されず、例えば、ＡＳＩＣ５１は、タワートレイ低圧電源７２を停止する指令信号ＳＩ１を送信してから所定時間だけ経過すると、完了を確認せずに、本体低圧電源２０を停止する設定でもよい。この場合、ＭＣＵ７１は、ＡＳＩＣ５１への応答である完了コマンドＳＣを送信しない設定でもよい。
【０１０４】
また、上記実施形態では、電源コード７５を交流電源ＡＣに接続して起動した際、タワートレイ低圧電源７２を第２低出力モード（オプション駆動用電圧が６Ｖ）から第１低出力モード（オプション駆動用電圧が０Ｖ）へ移行させて停止したが（図４のＳ１３，Ｓ２５参照）、タワートレイ低圧電源７２を停止せずに第２低出力モードのまま維持し、本体低圧電源２０のみを停止させてもよい。
【０１０５】
また、制御装置５０は、スリープモードからディープスリープモードへ移行する際に、タワートレイ低圧電源７２を通常モード（オプション駆動用電圧が２４Ｖ）から第１低出力モード（オプション駆動用電圧が０Ｖ）へ移行させたが（図８のＳ８７参照）、これに限らず、通常モードから第２低出力モード（オプション駆動用電圧が６Ｖ）へ移行させる設定でもよい。
また、制御装置５０は、レディモードからスリープモードへ移行する際に、タワートレイ低圧電源７２を通常モードから第１低出力モード、又は通常モードから第２低出力モードへ移行させる設定でもよい。
【０１０６】
また、ＡＳＩＣ５１は、電源コード７５及び専用電源コード７Ａの接続時に初期設定を実行しない設定でもよい。
また、ＡＳＩＣ５１は、ユーザによって電源ボタンＳＷ１が押下されオフモードへ移行する際に、図４のＳ２３から図５のＳ３７までの処理と同様の処理を実行してもよい。これにより、ＡＳＩＣ５１は、電源ボタンＳＷ１がオフされた際に、タワートレイ低圧電源７２を停止する指令信号ＳＩ１をＭＣＵ７１に送信して、本体低圧電源２０を停止する前にタワートレイ低圧電源７２を停止することが可能となる。
また、ＡＳＩＣ５１は、ユーザによって電源ボタンＳＷ１が押下されオフモードとなる際に、タワートレイ低圧電源７２を停止しなくともよい。
また、信号線ＣＬ５をグランドに接続するプルダウン抵抗ＲＤを設けなくともよい。
また、プリンタ１やタワートレイ低圧電源７２は、省電力化を図る各モードを有しなくともよい。
また、電源システム７は、装置駆動用電圧として印刷部２全体に供給する駆動用電圧を下げる処理を実行したが、例えば、定着器２Ｆだけを独立して駆動電圧を下げる処理を実行してもよい。
【符号の説明】
【０１０７】
１００  プリンタシステム、１  プリンタ（画像形成装置）、２  印刷部（画像形成部）、２０  本体低圧電源（装置電源）、５０  制御装置（装置制御部）、７０  タワートレイ（オプション装置）、７１  タワートレイ制御部（オプション制御部）、７２  タワートレイ低圧電源（オプション電源）、７３  給紙機構（駆動負荷）、７５  電源コード、７Ａ  専用電源コード、ＡＣ  交流電源（外部電源）、ＳＬ１  電源線、ＣＬ１，ＣＬ２  通信線、ＳＷ１  電源ボタン（電源スイッチ）、ＣＬ５  信号線、ＲＤ  プルダウン抵抗。
【図１】
0006414490.tif 000002
【図２】
0006414490.tif 000003
【図３】
0006414490.tif 000004
【図４】
0006414490.tif 000005
【図５】
0006414490.tif 000006
【図６】
0006414490.tif 000007
【図７】
0006414490.tif 000008
【図８】
0006414490.tif 000009
【図９】
0006414490.tif 000010
【図１０】
0006414490.tif 000011